【事件の表示】
特許第２７７１８９５号「ズームレンズ装置」の請求項１ないし３に係る特許に対する特許異議の申立てについて、次のとおり決定する。
【結論】
特許第２７７１８９５号の請求項１ないし３に係る特許を維持する。
【理由】
（１）本件発明
　本件特許第２７７１８９５号の請求項１〜３に係る発明は、特許明細書及び図面の記載からみて、その特許請求の範囲の請求項１〜３に記載された事項により特定されるとおりのものである。
（２）申立ての理由の概要
　申立人コニカ　株式会社は、証拠として甲第１号証（実願昭６２−８３８２４号〔実開昭６３−１９４３１１号〕のマイクロフイルム）、及び甲第２号証（実願昭６３−１３７１３９号〔実開平２−５８２０７号〕のマイクロフイルム）を提出し、請求項１及び２に係る発明は、第２９条第２項の規定に違反してなされたものであるから、特許を取り消すべき旨主張している。
　申立人海老原　清は、証拠として甲第１号証（特開平１−３０６８０８号公報）、甲第２号証（特開昭６２−１０９０１２号公報）、甲第３号証（実願昭５６−６９６３４号〔実開昭５７−１８２７０８号〕のマイクロフイルム）、及び甲第４号証（実願平１−２８９３６号〔実開平２−１１９６１０号〕のマイクロフイルム）を提出し、請求項１〜３に係る発明は、第２９条第２項の規定に違反してなされたものであるから、特許を取り消すべき旨主張している。
（３）申立人が提出した甲各号証記載の発明
ア．特許異議申立人コニカ　株式会社が提出した甲第１号証（実願昭６２−８３８２４号〔実開昭６３−１９４３１１号〕のマイクロフイルム、以下、第１引用例という。）には、カメラ本体１の内側に第１の送りねじ５と被駆動片４ａとにより光軸方向に進退する第１の鏡筒４と、この第１の鏡筒４の内側に送りねじ２７と支持片１２ｄとにより光軸方向に進退する、第１群レンズＬ１を組み込んだ第２の鏡筒１２を備えたズームレンズ鏡筒において、前記第１の鏡筒４の進退とともに移動して前記第２の鏡筒１２の進退を直線的に案内するガイド棒１５，１６を備えたズームレンズ鏡筒、が記載されている。
　同じく提出した甲第２号証（実願昭６３−１３７１３９号〔実開平２−５８２０７号〕のマイクロフイルム、以下、第２引用例という。）には、固定鏡筒１の内側にヘリコイド結合し、回転することで前記へリコイドのリードに従って光軸方向に進退する駆動鏡筒２と、この駆動鏡筒２の内側にヘリコイド結合した第１の移動体３とを備え、前記駆動鏡筒２の回転により第１のレンズ群Ｌ１を組み込んだ第１の移動体３が前記駆動鏡筒２の内側に設けたヘリコイドのリードに従って光軸方向に進退するカム機構において、前記駆動鏡筒２に設けられた歯車２ｂと、前記第１の移動体３の進退を直線的に案内するキー部材４とを備えたカム機構、が記載されている。
イ．特許異議申立人海老原　清が提出した甲第１号証（特開平１−３０６８０８号公報、以下、第３引用例という。）には、外側へリコイド１８の内側にヘリコイド結合し、回転することで前記へリコイドのリードに従って光軸方向に進退する内側へリコイド２０及びカム環２２と、この内側ヘリコイド２０及びカム環２２の内側にガイドピン３５がカム環２２の前群カム溝４１とレンズ案内環２４のレンズガイド溝４３とに挿入されたシャッタブロック３２及び前群移動枠３４とを備え、前記内側ヘリコイド２０及びカム環２２の回転により、移動レンズ１５を組み込みんだ前群レンズ枠３０とへリコイドリング３３を備えたシャッタブロック３２及び前群移動枠３４が、前記内側へリコイド２０及びカム環２２に設けた前群カム溝４１とレンズ案内環２４のレンズガイド溝４３に挿入されたガイドピン３５によって光軸方向に進退するズームレンズ装置において、前記内側ヘリコイド２０及びカム環２２に設けられたギヤ２０ｂと、前記内側ヘリコイド２０及びカム環２２の進退とともに移動して前記シャッタブロック３２及び前群移動枠３４の進退を直線的に案内する直進案内板２６及びガイドピン３５とを備えたズームレンズ装置、が記載されている。
　同じく提出した甲第２号証（特開昭６２−１０９０１２号公報、以下、第４引用例という。）には、固定の鏡筒１３の内側に回転することでカム溝１３２とピン２２とによって光軸方向に進退する第２鏡筒１２と、この第２鏡筒１２の内側に第１鏡筒１１を備え、前記第２鏡筒１２の回転により第１群レンズ１を組み込んだ第１鏡筒１１のピン２１が第２鏡筒１２のカム溝１２１と固定の鏡筒１３のカム溝１３１とによって光軸方向に進退するズームレンズ装置において、前記第２鏡筒１２に設けられたセクタギヤ１２４と、このセクタギヤ１２４に対する噛み合い位置が前記第２鏡筒１２とともに光軸方向に沿って移動して前記第２鏡筒１２を回動させるギヤ３４と、を備えたズームレンズ装置、が記載されている。
　同じく提出した甲第３号証（実願昭５６−６９６３４号〔実開昭５７−１８２７０８号〕のマイクロフイルム、以下、第５引用例という。）には、外筒３０に設けられた歯車部４８と、この歯車４８に対する噛み合い位置が前記外筒３０とともに光軸方向に沿って移動して前記外筒３０を回動させる伝達歯車７４、が記載されている。
　同じく提出した甲第４号証（実願平１−２８９３６号〔実開平２−１１９６１０号〕のマイクロフイルム、以下、第６引用例という。）には、鏡筒本体２の内側に多条ねじ結合し、回転することで前記多条ねじのリードに従って光軸方向に進退する回転環４と、この回転環４の内側に多条ねじ結合したレンズ支持枠３とを備え、前記回転環４の回転によりレンズ１０を組み込んだレンズ支持枠３が前記回転環４の内側に設けた多条ねじのリードに従って光軸方向に進退する鏡筒繰出し機構において、前記回転環４の進退とともに移動して前記レンズ支持枠３の進退を直線的に案内する案内筒５とを備えた鏡筒繰出し機構、が記載されている。
（４）本件発明と各引用例記載の発明との対比・判断
（請求項１に係る発明について）
　本件請求項１に係る発明と第１引用例記載の発明とを対比すると、本件請求項１に係る発明の「固定枠」、「中間筒」、「可動筒」、「撮影レンズ」、「ズームレンズ装置」、「直進ガイド部材」は、夫々第１引用例記載の発明の「カメラ本体１」、「第１の鏡筒４」、「第２の鏡筒１２」、「第１群レンズＬｌ」、「ズームレンズ鏡筒」、「ガイド棒１５，１６」に相当するから、両者は、固定枠の内側に光軸方向に進退する中間筒と、この中間筒の内側の可動筒とを備え、撮影レンズを組み込んだ可動筒が光軸方向に進退するズームレンズ装置において、前記中間筒の進退とともに移動して前記可動筒の進退を直線的に案内する直進ガイド部材を備えたことを特徴とするズームレンズ装置、で一致し、
Ａ中間筒を進退させるための機構が、本件請求項１に係る発明では、固定枠内側と中間軸外側とのヘリコイド結合であるのに対して、第１引用例記載の発明では、第１の送りねじ５と被駆動片４ａとである点、
Ｂ可動筒を進退させるための機構が、本件請求項１に係る発明では、中間筒内側と可動筒外側とのへリコイド結合であるのに対して、第１引用例記載の発明では、送りねじ２７と支持片１２ｄとである点、
Ｃ本件請求項１に係る発明は、前記中間筒に設けられたギヤ部と、このギヤ部に対する噛み合い位置が前記中間筒とともに光軸方向に沿って移動して前記中間筒を回動させる中間筒回動部材を備えるのに対して、第１引用例は、そのような記載が無い点で相違する。
　本件請求項１に係る発明と第２引用例記載の発明とを対比すると、本件請求項１に係る発明の「固定枠」、「中間筒」、「可動筒」、「撮影レンズ」、「ギヤ部」、「直進ガイド部材」は、夫々第２引用例記載の発明の「固定鏡筒１」、「駆動鏡筒２」、「第１の移動体３」、「第１のレンズ群Ｌｌ」、「歯車２ｂ」、「キー部材４」に相当するから、両者は、固定枠の内側にヘリコイド結合し、回転することで前記ヘリコイドのリードに従って光軸方向に進退する中間筒と、この中間筒の内側にヘリコイド結合した可動筒とを備え、前記中間筒の回転により撮影レンズを組み込んだ可動筒が前記中間筒の内側に設けたヘリコイドのリードに従って光軸方向に進退するズームレンズ装置において、前記中間筒に設けられたギヤ部と、前記可動筒の進退を直線的に案内する直進ガイド部材を備えたことを特徴とするズームレンズ装置、で一致し、
Ｃ本件請求項１に係る発明は、前記中間筒に設けられたギヤ部と、このギヤ部に対する噛み合い位置が前記中間筒とともに光軸方向に沿って移動して前記中間筒を回動させる中間筒回動部材を備えるのに対して、第１引用例は、駆動鏡筒２に設けられた歯車２ｂは有るが、その余の構成が無い点、Ｄ直進ガイド部材が、本件請求項１に係る発明は、中間筒の進退とともに移動するのに対して、第２引用例記載の発明は、固定鏡筒１と一体である点で相違する。
　本件請求項１に係る発明と第３引用例記載の発明とを対比すると、本件請求項１に係る発明の「固定枠」、「中間筒」、「可動筒」、「撮影レンズ」、「ギヤ部」、「直進ガイド部材」は、夫々第３引用例記載の発明の「外側へリコイド１８」、「内側ヘリコイド２０及びカム溝２２」、「シャッタブロック３２及び前群移動枠３４」、「移動レンズ１５」、「ギヤ２０ｂ」、「直進案内板２６，レンズ案内環ガイド溝２７、ガイドピン３５，及びレンズガイド溝４３」に相当するから、両者は、固定枠の内側にヘリコイド結合し、回転することで前記ヘリコイドのリードに従って光軸方向に進退する中間筒と、この中間筒の内側に可動筒を備え、前記中間筒の回転により撮影レンズを組み込んだ可動筒が光軸方向に進退するズームレンズ装置において、前記中間筒に設けられたギヤ部と、前記中間筒の進退とともに移動して前記可動筒の進退を直線的に案内する直進ガイド部材を備えたことを特徴とするズームレンズ装置、で一致し、
Ｂ可動筒を進退させるための機構が、本件請求項１に係る発明では、中間筒内側と可動筒外側とのへリコイド結合であるのに対して、第３引用例記載の発明では、ガイドピン３５と前群カム溝４１乃びレンズガイド溝４３とである点、
Ｃ本件請求項１に係る発明は、前記中間筒に設けられたギヤ部と、このギヤ部に対する噛み合い位置が前記中間筒とともに光軸方向に沿って移動して前記中間筒を回動させる中間筒回動部材を備えるのに対して、第３引用例は、内側ヘリコイド２０及びカム環２２に設けられたギヤ２０ｂは有るが、その余の構成が無い点、で相違する。
　本件請求項１に係る発明と第４引用例記載の発明とを対比すると、本件請求項１に係る発明の「固定枠」、「中間筒」、「可動筒」、「撮影レンズ」、「ギヤ部」、「中間筒回動体」は、夫々第４引用例記載の発明の「固定の鏡筒１３」、「第２鏡筒１２」、「第１鏡筒１１」、「第１群レンズ１」、「セクタギヤ１２４」、「ギヤ３４」に相当するから、両者は、固定枠の内側に、回転することで光軸方向に進退する中間筒と、この中間筒の内側に可動筒を備え、前記中間筒の回転により撮影レンズを組み込んだ可動筒が光軸方向に進退するズームレンズ装置において、前記中間筒に設けられたギヤ部と、このギヤ部に対する噛み合い位置が前記中間筒とともに光軸方向に沿って移動して前記中間筒を回動させる中間筒回動部材を備えたことを特徴とするズームレンズ装置、で一致し、
Ａ中間筒を進退させるための機構が、本件請求項１に係る発明では、固定枠内側と中間軸外側とのへリコイド結合であるのに対して、第４引用例記載の発明では、カム溝１３２とピン２２とである点、
Ｂ可動筒を進退させるための機構が、本件請求項１に係る発明では、中間筒内側と可動筒外側とのヘリコイド結合であるのに対して、第４引用例記載の発明では、第１鏡筒１１のピン２１と第２鏡筒１２のカム溝１２１及び固定の鏡筒１３のカム溝１３１とである点、
Ｄ’本件請求項１に係る発明は、前記中間筒の進退とともに移動して前記可動筒の進退を直線的に案内する直進ガイド部材を備えるのに対して、第４引用例は、その点に関する記載が無い点、で相違する。
　本件請求項１に係る発明と第５引用例記載の発明とを対比すると、本件請求項１に係る発明の「中間筒」、「ギヤ部」、「中間筒回動体」は、夫々第５引用例記載の発明の「外筒３０」、「歯車部４８」、「伝達歯車７４」に相当するから、両者は、中間筒に設けられたギヤ部と、このギヤ部に対する噛み合い位置が前記中間筒とともに光軸方向に沿って移動して前記中間筒を回動させる中間筒回動部材を備えたことを特徴とするズームレンズ装置、で一致し、後者は、前者のその余の構成を有しない。
　本件請求項１に係る発明と第６引用例記載の発明とを対比すると、本件請求項１に係る発明の「固定枠」、「ヘリコイド」、「中間筒」、「可動筒」、「撮影レンズ」、「ズームレンズ装置」、「直進ガイド部材」は、夫々第６引用例記載の発明の「鏡筒本体２」、「多条ねじ」、「回転環４」、「レンズ支持枠３」、「レンズ１０」、「鏡筒繰出し機構」、「案内筒５」に相当するから、両者は、固定枠の内側にヘリコイド結合し、回転することで前記ヘリコイドのリードに従って光軸方向に進退する中間筒と、この中間筒の内側にヘリコイド結合した可動筒とを備え、前記中間筒の回転により撮影レンズを組み込んだ可動筒が前記中間筒の内側に設けたヘリコイドのリードに従って光軸方向に進退するズームレンズ装置において、前記中間筒の進退とともに移動して前記可動筒の進退を直線的に案内する直進ガイド部材とを備えたことを特徴とするズームレンズ装置、で一致し、
Ｃ本件請求項１に係る発明は、前記中間筒に設けられたギヤ部と、このギヤ部に対する噛み合い位置が前記中間筒とともに光軸方向に沿って移動して前記中間筒を回動させる中間筒回動部材を備えるのに対して、第６引用例は、その点に関する記載が無い点、で相違する。
　してみると、第１〜３引用例及び第６引用例のいずれにも、本件請求項１に係る発明の構成の一部である上記Ｃの点が無い。
　一方、第４引用例及び第５引用例のいずれにも、上記Ｃの点の構成はあるが、本件請求項１に係る発明のその余の構成がない。
　そこで、上記Ｃの点を第１引用例に適用して本件請求項１に係る発明を推考することが容易か否かを検討すると、第１引用例の第１の鏡筒４は光軸方向に進退するだけで、回転しないから、上記Ｃの点を第１引用例に適用することは、当業者といえども困難であると言わざるをえない。
　次に、上記Ｃの点を第２引用例に適用して本件請求項１に係る発明を推考することが容易か否かを検討すると、仮に、上記Ｃの点が第２引用例に適用できたとしても、上記Ｄの構成を有しないから、上記Ｃの点を第２引用例に適用し、さらにその上に上記Ｄの構成を適用して、本件請求項１に係る発明を推考することは、当業者といえども困難であると言わざるをえない。
　次に、上記Ｃの点を第３引用例に適用して本件請求項１に係る発明を推考することが容易か否かを検討すると、仮に、上記Ｃの点が第３引用例に適用できたとしても、上記Ｂの構成を有しないから、上記Ｃの点を第３引用例に適用し、さらにその上に上記Ｂの構成を適用して、本件請求項１に係る発明を推考することは、当業者といえども困難であると言わざるをえない。
　次に、上記Ｃの点を第６引用例に適用して本件請求項１に係る発明を推考することが容易か否かを検討すると、第６引用例の回転環４は手動用の外環４ｏが鏡筒本体２の外周に設けられ、また、内環４ｉ外周には多条ねじ４ａが全長に渡って設けられているから、上記Ｃの点を適用することは、当業者といえども困難であり、仮に、適用できたとしても、本件請求項１に係る発明の「中間筒に設けたギヤ部の幅を大きくせず、化粧筒を必要としない」という課題を達成できるように適用することは、当業者といえども困難であると言わざるをえない。
　また、第１引用例及び第２引用例から、本件請求項１に係る発明を推考することが容易か否かを検討すると、上述したとおり、両引用例とも上記Ｃの点を有さないから、両引用例から本件請求項１に係る発明を推考することは、当業者といえども困難であると言わざるをえない。
　最後に、第３〜６引用例から、本件請求項１に係る発明を推考することが容易か否かを検討すると、上述したとおり、仮に、第３引用例に第４引用例ないし第５引用例の上記Ｃの点が適用できても、上記Ｂの構成が足りず、このＢの構成を第６引用例から、さらに適用しようとしても、各構成を有機的に結合して、本件請求項１に係る発明の「中間筒に設けたギヤ部の幅を大きくせず、化粧筒を必要としない」という課題を達成できるように適用することは、当業者といえども困難であると言わざるをえない。
　したがって、本件請求項１に係る発明は、「中間筒に設けたギヤ部の幅を大きくせず、化粧筒を必要としない」という課題を達成すべく、本件請求項１に記載の構成を有することによって、明細書記載の効果を奏するものであるから、本件請求項１に係る発明が、上記第１〜６引用例のいずれかに記載の発明であるとも、また、当該各引用例に記載の発明から容易に推考しうるものとも認められない。
（請求項２及び３に係る発明について）
　本件請求項２及び３に係る発明は、本件請求項１に係る発明の構成の一部をさらに限定するものであるから、本件請求項１に係る発明の判断と同様になる。
　以上のとおり、本件請求項１〜３に係る発明は特許異議申立人が提出した甲各号証に記載された発明であるとはいえず、また、それらから当業者が容易に発明をすることができたものとも認められない。
（５）むすび
　　以上のとおりであるから、特許異議申立の理由及び証拠によっては、本件請求項１〜３に係る発明の特許を取り消すことはできない。
　また、他に本件請求項１〜３に係る発明の特許を取り消すべき理由を発見しない。
　　よって、結論のとおり決定する。
【異議決定日】
平成１１年７月１２日（１９９９．７．１２）